(57)【特許請求の範囲】
【請求項１】
幕板と、その下方に位置して建物躯体から外方に向かって延びる附属屋根部との間を塞いで水の浸入を抑える防水部を備えた建物躯体の防水構造であって、
防水部は、附属屋根部の上面から上方に向かって立ち上がる立ち上がり部を備え、
幕板は、その下部に位置して下方に向かって開口する凹部と、この凹部内に形成される防水充填材とを備え、
前記立ち上がり部の上端が、凹部内の防水充填材の内部に差し込まれていることを特徴とする建物躯体の防水構造。
【請求項２】
幕板と、その下方に位置して建物躯体から外方に向かって延びる附属屋根部との間を塞いで水の浸入を抑える防水部を備えた建物躯体の防水構造であって、
防水部は、附属屋根部の上面から上方に向かって立ち上がる立ち上がり部を備え、
幕板は、その下部に位置して下方に向かって開口する凹部を備え、
この凹部の内部に前記立ち上がり部の上端が差し込まれ、
立ち上がり部と凹部との間にはコーキング材による防水処理が施されていることを特徴とする建物躯体の防水構造。
【発明の詳細な説明】
【０００１】
【発明の属する技術分野】
この発明は、幕板と、その下方に位置して建物躯体から外方に向かって延びる庇等の附属屋根部とを備えた建物躯体の防水構造に関する。
【０００２】
【先行技術】
図２は、従来の建物躯体の防水構造の縦断面図を示すものである。
従来、幕板110の下方に隣接する位置に、建物躯体150から外方に向かって延びる庇131となる附属屋根部130が形成される場合があった。かかる場合、その庇131等の附属屋根部130と幕板110との間には、他の建物躯体150の外壁面に形成されているサイディング120と同様の材質からなり、上下方向の長さが短い短尺長さの短尺サイディング121が形成されている。これらのサイディング120及び短尺サイディング121は、建物躯体150である壁パネル151の表面に釘等により横方向に固定された木質からなる胴縁140の反建物躯体側に固定されている。なお、壁パネル151の反建物躯体側には、幕板110の上方の一部にシート状の防水シート182が貼付され、幕対110の全面に防水紙181が貼付され、建物躯体150の防水性を担保している。そして、かかる短尺サイディング121と、幕板110及び附属屋根部130との間には、コーキング材160が充填され、建物躯体150に雨水等が浸入することを抑えている。
【０００３】
【発明が解決しようとする課題】
しかし、上記した従来の建物躯体の防水構造は、短尺サイディング121の端部と、幕板110及び附属屋根部130との間の隙間から雨水等が浸入しないようにコーキング材160により隙間を埋めなければならず、防水処理に手間が掛かり、また、見栄えもあまり良くないという第一の問題点があった。
【０００４】
さらに、幕板110と附属屋根部130との間の狭い範囲に適応する短尺サイディング121を形成しなければならず、セラミック材等からなるサイディング120を必要な長さに切断等するのは容易ではないという第二の問題点があった。
そこで、請求項１記載の発明は、上記した従来の技術の有する第一及び第二の問題点に鑑みてなされたものであり、その目的とするところは、短尺サイディングを必要とせず、防水処理も容易で、外観も良好な建物躯体の防水構造を提供しようとするものである。
【０００５】
これに加え、この請求項１記載の発明は、立ち上がり部を凹部内に差し込むだけで、両者間の防水性を担保することができ、防水処理が容易で、外観も良好な建物躯体の防水構造を提供しようとするものである。
請求項２記載の発明は、請求項１記載の発明と同様に、短尺サイディングを必要とせず、また防水処理も容易で、外観も良好な建物躯体の防水構造を提供しようとするものである。
【０００６】
【０００７】
【０００８】
【課題を解決するための手段】
本発明は、上記した目的を達成するためのものである。
請求項１記載の発明は、幕板(10)と、その下方に位置して建物躯体(50)から外方に向かって延びる附属屋根部(30)との間を塞いで水の浸入を抑える防水部(70)を備えた建物躯体(50)の防水構造であって、防水部(70)は、附属屋根部(30)の上面から上方に向かって立ち上がる立ち上がり部(71)を備え、幕板(10)は、その下部に位置して下方に向かって開口する凹部(11)と、この凹部(11)内に形成される防水充填材(12)とを備え、前記立ち上がり部(71)の上端が、凹部(11)内の防水充填材(12)の内部に差し込まれていることを特徴とする。
【０００９】
なお、ここで、附属屋根部(30)とは、建物躯体(50)から外方に向かって延びる屋根を有しているものであれば良いものであって、例えば、庇(31)の上面や建物躯体のうち部屋が外側に張り出している部分の上面に形成されるものである。また、附属屋根部(30)の上面に形成されているのは、薄鋼板による瓦またはセラミック等による窯業系の瓦等のいずれも含まれるものである。
【００１０】
また、ここで、「幕板(10)」は、建物躯体(50)の上下階の外壁のサイディング(20)の継ぎ目に形成されるものであって、上下階の間の床際に位置する胴差しの端面を覆うものや、建物躯体(50)の外観上のアクセントとなるようなもの等を含むものである。そして、この「幕板(10)」には、塩ビ鋼板等によるものや、窯業系によるもの等を含むものである。
【００１１】
【００１２】
【００１３】
また、ここで、防水充填材(12)とは、立ち上がり部(71)を差し込むことにより、幕板(10)の凹部(11)内面と立ち上がり部(71)の表面との間に隙間なく充填された状態を形成し、両者の間から雨水が浸入しないものであれば良いものである。例えば、ゴム、軟質樹脂等を含むものである。
本発明は、防水部(70)が、附属屋根部(30)の上面から上方に向かって立ち上がる立ち上がり部(71)を備え、この立ち上がり部(71)が幕板(10)の下部の凹部(11)内の防水充填材(12)の内部に差し込まれている。すなわち、凹部(11)と立ち上がり部(71)との間には、防水充填材(12)が充填された状態となっている。このため、立ち上がり部(71)と凹部(11)との間から水が浸入することがなく、またこれら両者間の継ぎ目が反建物躯体側の表面に露出するようなことがなく、防水処理を容易にすることができる。これにより、附属屋根部(30)から幕板(10)まで、連続して水の浸入を抑えることができる。
すなわち、幕板(10)の表面に沿って流れ落ちる雨水は、防水部(70)の立ち上がり部(71)の反建物躯体側の表面に伝わり、そのまま防水部(70)の立ち上がり部(71)の表面に沿って下方に流れ落ちる。すなわち、幕板(10)や防水部(70)の表面を流れ落ちる雨水が、その表面に露出する防水処理を施した継ぎ目の表面上を、直接伝わるようなことがなく、防水性を担保することができる。また、幕板(10)と防水部(70)との間の継ぎ目が反建物躯体側の表面に露出しないため、建物外観を良好なものに維持することができる。
さらに、附属屋根部(30)と幕板(10)との間に防水用に別の部材を形成すると、防水処理を必要とする箇所は、その防水部材と幕板(10)との間、及び、その防水部材と附属屋根部(30)との間の計二箇所、必要になるが、本発明では、附属屋根部(30)から直接、幕板(10)の下部にまで立ち上がっているため、防水処理を必要とするのは、かかる立ち上がり部(71)と幕板(10)との間の一箇所で済み、防水処理を容易にすることができる。
【００１４】
また、現場組立施工における立ち上がり部(71)と幕板(10)との間の防水処理の作業も、立ち上がり部(71)を凹部(11)内の防水充填材(12)の内部に下方から差し込むだけで、立ち上がり部(71)の上端に防水充填材(12)が密着し、立ち上がり部(71)の表面と凹部(11)の内面との間の隙間が無くなり、両者間の防水処理が終了する。このように、防水処理の作業自体も、簡単なものにすることができる。
【００１５】
請求項２記載の発明は、上記した請求項１記載の発明とほぼ同様に、幕板(10)と、その下方に位置して建物躯体(50)から外方に向かって延びる附属屋根部(30)との間を塞いで水の浸入を抑える防水部(70)を備えた建物躯体(50)の防水構造であって、防水部(70)は、附属屋根部(30)の上面から上方に向かって立ち上がる立ち上がり部(71)を備え、幕板(10)は、その下部に位置して下方に向かって開口する凹部(11)を備え、この凹部(11)の内部に前記立ち上がり部(71)の上端が差し込まれ、立ち上がり部(71)と凹部(11)との間にはコーキング材(61)による防水処理が施されていることを特徴とする。
【００１６】
なお、ここで、「コーキング材(61)」とは、立ち上がり部(71)を凹部(11)の内部に差し込んだ後、立ち上がり部(71)の上端と凹部(11)の内面との間に充填されて、両者の水密性や気密性を確保することができるものであれば良いものである。
また、この「コーキング材(61)」は、油脂や樹脂や無機質の充填剤を練り混ぜたパテ状の湿式性のものや、ゴムや軟質樹脂等の乾式性のもの等の両者を含むものである。
【００１７】
本発明は、立ち上がり部(71)が幕板(10)の下部の凹部(11)内に差し込まれ、この凹部(11)と立ち上がり部(71)との間にコーキング材(61)による防水処理が施されている。このため、立ち上がり部(71)と凹部(11)との間から水が建物躯体(50)に向かって浸入することがなく、またこれら両者間の継ぎ目が反建物躯体側の表面に露出するようなことがなく、防水処理を容易にすることができる。これにより、附属屋根部(30)から幕板(10)まで、連続して水の浸入を抑えることができる。
すなわち、幕板(10)の表面に沿って流れ落ちる雨水は、防水部(70)の立ち上がり部(71)の反建物躯体側の表面に伝わり、そのまま防水部(70)の立ち上がり部(71)の表面に沿って下方に流れ落ちる。すなわち、幕板(10)や防水部(70)の表面を流れ落ちる雨水が、その表面に露出する防水処理を施した継ぎ目の表面上を、直接伝わるようなことがなく、防水性を担保することができる。また、幕板(10)と防水部(70)との間の継ぎ目が反建物躯体側の表面に露出しないため、建物外観を良好なものに維持することができる。
【００１８】
また、立ち上がり部(71)は、附属屋根部(30)から直接、幕板(10)の下部にまで立ち上がっているため、防水処理を必要とするのは、かかる立ち上がり部(71)と幕板(10)の凹部(11)との間の一箇所だけで済み、防水処理を容易にすることができる。
【００１９】
【００２０】
【００２１】
【００２２】
【００２３】
【００２４】
【発明の実施の形態】
以下、本発明の実施の形態を図面に基づいて、更に詳しく説明する。
図１は、本発明の第一の実施の形態を示すものであり、建物躯体の防水構造の縦断面図を示すものである。
まず、本実施の形態の構成について説明する。
【００２５】
本実施の形態に係る建物躯体50の防水構造は、幕板10と、その下方に位置して建物躯体50から外方に向かって延びる附属屋根部30との間を塞いで水の浸入を抑える防水部70を備えたものである。なお、建物躯体50は、木質からなる壁パネル51から形成されているものであって、この壁パネル51は、特に図示しないが、四角枠状の枠材及びこの枠材の枠内を塞ぐ面材から形成されているものである。そして、幕板10は、上下階の間に位置する胴差しに沿って建物周囲の横方向に形成されているものである。また、附属屋根部30は、建物躯体50から外方に向かって突出する庇31の屋根を形成しているものである。また、建物躯体50の表面には、略全面に防水紙81及び一部に防水シート82が貼付され、建物躯体50に雨水が浸入することを抑えている。そして、建物躯体50の防水紙81等の室外側には、木質からなる胴縁40が横方向に沿って固定されている。そして、この胴縁40の室外側表面には、セラミックからなるサイディング20が固定されている。このサイディング20の下端と幕板10の上面との間には、建物躯体50に雨水等が浸入しないようにコーキング材60により防水処理が施されている。
【００２６】
前記防水部70の上端は、幕板10の前面の建物躯体50側に位置するとともに幕板10の下端よりも上方に位置している。具体的には、防水部70は、附属屋根部30の建物躯体50側の上面から上方に向かって立ち上がる立ち上がり部71を備えている。そして、幕板10は、その下部に位置して長尺方向に沿って下方に向かって開口する凹溝状の凹部11と、この凹部11内に形成される防水充填材12とを備えている。そして、前記立ち上がり部71の上端が、凹部11内の防水充填材12の内部に差し込まれている。ここで、この防水充填材12は、軟質ゴムから形成されているものであり、立ち上がり部71を差し込むことにより、幕板10の凹部11内面と立ち上がり部71の表面との間に隙間なく充填された状態を形成し、両者の間から雨水が浸入することを抑える役割を有するものである。
【００２７】
次に、上記した実施の形態の作用及び効果について説明する。
本実施の形態は、防水部70の上端が、幕板10の前面の建物躯体50側に位置するとともに幕板10の下端よりも上方に位置している。すなわち、防水部70の上端の反建物躯体側が、幕板10により覆われ、防水部70の上端に幕板10が被さった状態となっている。具体的には、防水部70が、附属屋根部30の上面から上方に向かって立ち上がる立ち上がり部71を備え、この立ち上がり部71が幕板10の下部の凹部11内に位置している。そして、この凹部11内の防水充填材12の内部に立ち上がり部71が差し込まれている。
このため、凹部11と立ち上がり部71との間から水が浸入することがない。これにより、附属屋根部30から幕板10まで、連続して水の浸入を抑えることができる。また、幕板10の表面に沿って流れ落ちる雨水は、防水部70の反建物躯体側の表面に伝わり、そのまま防水部70の表面に沿って下方に流れ落ちる。すなわち、幕板10や防水部70の表面を流れ落ちる雨水が、その表面に露出する防水処理を施した継ぎ目の表面上を、直接伝わるようなことがなく、防水性を担保することができる。また、幕板10と防水部70との間の継ぎ目が反建物躯体側の表面に露出しないため、建物外観を良好なものに維持することができる。
【００２８】
また、附属屋根部30と幕板10との間に防水用の別の部材を形成すると、防水処理を必要とする箇所は、その防水部材72と幕板10との間、及び、その防水部材72と附属屋根部30との間の計二箇所、必要になるが、本発明では、附属屋根部30から直接、幕板10の下部にまで立ち上がっているため、防水処理を必要とするのは、かかる立ち上がり部71と幕板10との間の一箇所で済み、防水処理を容易にすることができる。
【００２９】
また、立ち上がり部71と幕板10との間の防水処理も、立ち上がり部71を凹部11内の防水充填材12の内部に下方から差し込むだけで、立ち上がり部71の上端に防水充填材12が密着し、立ち上がり部71の表面と凹部11の内面との間の隙間が無くなり、両者間の防水処理が終了する。このように、防水処理の作業自体も、簡単なものにすることができる。
【００３０】
なお、上述した実施例では、凹部11の内部に予め防水充填材12を充填した後、立ち上がり部71をその防水充填材12の内部に差し込んでいたが、凹部11内に予め防水充填材12を充填することなく、立ち上がり部71を凹部11の内部に差し込み、その後、立ち上がり部71と凹部11との間に湿式性や乾式性のコーキング材61による防水処理を施しても良いものである。これにより、上述したものと同様の防水効果を得ることができる。
【００３１】
【００３２】
【００３３】
【００３４】
【００３５】
【００３６】
【００３７】
【発明の効果】
本発明は、以上のように構成されているので、以下に記載されるような効果を奏する。
請求項１記載の発明によれば、短尺サイディングを必要とせず、防水処理も容易で、外観も良好な建物躯体の防水構造を提供することができる。
【００３８】
特に、この請求項１記載の発明によれば、立ち上がり部を凹部内に差し込むだけで、両者間の防水性を担保することができ、防水処理が容易で、外観も良好な建物躯体の防水構造を提供することができる。
請求項２記載の発明によれば、防水処理が容易で、外観も良好な建物躯体の防水構造を提供することができる。
【００３９】
【００４０】
【図面の簡単な説明】
【図１】  本発明の第一の実施の形態であって、建物躯体の防水構造を示す縦断面図である。
【図２】 従来の建物躯体の防水構造を示す縦断面図である。
【符号の説明】
10…幕板、11…凹部、12…防水充填材、20…サイディング、30…附属屋根部、31…庇、32…屋根パネル、33…瓦、40…胴縁、50…建物躯体、51…壁パネル、60,61…コーキング材、70…防水部、71…立ち上がり部、81…防水紙、82…防水シート、110…幕板、120…サイディング、121…短尺サイディング、130…附属屋根部、131…庇、140…胴縁、150…建物躯体、151…壁パネル、160…コーキング材、181…防水紙、182…防水シート。
【図１】
0004065913.tif 000002
【図２】
0004065913.tif 000003